(57)【特許請求の範囲】
【請求項１】
設置面に設置される設置部と、
所定の方向への水の移動を抑制可能な止水部と、
前記設置部及び前記止水部を折り曲げ可能に接続する折曲部と、
を具備し、
前記設置部、前記止水部及び前記折曲部は、一の素材から一体的に形成されており、
前記折曲部を介して、前記止水部が前記設置部から起立するように折り曲げた使用状態と、前記止水部が倒伏する非使用状態と、に変形可能であり、
前記止水部を使用状態のまま保持する保持部を更に具備し、
前記保持部は、
前記設置部に設けられた第１の部分と、
前記止水部に設けられた第２の部分と、
を具備し、
前記第１の部分及び前記第２の部分のうち一方は、孔部を有し、
前記第１の部分及び前記第２の部分のうち他方は、前記孔部に挿通可能な挿通部を有し、
前記使用状態において、前記第１の部分が前記設置部から起立するように折り曲げられ、かつ、前記第２の部分が前記止水部から起立するように折り曲げられた状態で、前記挿通部を前記孔部に挿通することで、前記止水部が前記使用状態のまま保持される、
止水装置。
【請求項２】
前記保持部は、前記一の素材から一体的に形成されている、
請求項１に記載の止水装置。
【請求項３】
当該止水装置は、幅方向一方側を他の止水装置の幅方向他方側と重ねた状態で前記他の止水装置と連結可能とされており、
前記保持部は、当該止水装置と前記他の止水装置とを連結した際に当該止水装置と前記他の止水装置とが重なる領域に設けられている、
請求項１又は請求項２に記載の止水装置。
【請求項４】
当該止水装置の幅方向一方側に設けられた第１の連結部と、
当該止水装置の幅方向他方側に設けられ、他の止水装置の前記第１の連結部と連結可能な第２の連結部と、
を具備し、
前記第１の連結部及び前記第２の連結部は、前記一の素材から一体的に形成されており、
前記第１の連結部は、前記他の止水装置の前記第２の連結部が挿通可能とされた連結孔部を有し、
前記連結孔部に前記他の止水装置の前記第２の連結部を挿通することで、他の止水装置と連結可能とする、
請求項１から請求項３までのいずれか一項に記載の止水装置。
【請求項５】
前記設置部は、軟質樹脂で形成されている、
請求項１から請求項４までのいずれか一項に記載の止水装置。
【発明の詳細な説明】
【技術分野】
【０００１】
本発明は、止水装置の技術に関する。
【背景技術】
【０００２】
従来、所定の方向への水の移動を抑制可能な止水装置の技術は公知となっている。例えば、特許文献１に記載の如くである。
【０００３】
特許文献１には、洪水時などに一定領域への浸水を防ぐためのパネル土のうが記載されている。上記パネル土のうは、水平部と、当該水平部から垂直方法に延設された垂直部と、を備えている。
【０００４】
特許文献１に記載されたパネル土のうは、側面視において略Ｌ字形状とされている。このようなパネル土のうは嵩張ることから、非使用時において収納し難い。このため、非使用時にコンパクト化を図ることができる止水装置が求められている。
【先行技術文献】
【特許文献】
【０００５】
【特許文献１】特許第６５１１３３４号公報
【発明の概要】
【発明が解決しようとする課題】
【０００６】
本発明は以上の如き状況に鑑みてなされたものであり、その解決しようとする課題は、非使用時にコンパクト化を図ることができる止水装置を提供することである。
【課題を解決するための手段】
【０００７】
本発明の解決しようとする課題は以上の如くであり、次にこの課題を解決するための手段を説明する。
【０００８】
即ち、請求項１においては、設置面に設置される設置部と、所定の方向への水の移動を抑制可能な止水部と、前記設置部及び前記止水部を折り曲げ可能に接続する折曲部と、を具備し、前記設置部、前記止水部及び前記折曲部は、一の素材から一体的に形成されており、前記折曲部を介して、前記止水部が前記設置部から起立するように折り曲げた使用状態と、前記止水部が倒伏する非使用状態と、に変形可能であり、前記止水部を使用状態のまま保持する保持部を更に具備し、前記保持部は、前記設置部に設けられた第１の部分と、前記止水部に設けられた第２の部分と、を具備し、前記第１の部分及び前記第２の部分のうち一方は、孔部を有し、前記第１の部分及び前記第２の部分のうち他方は、前記孔部に挿通可能な挿通部を有し、前記使用状態において、前記第１の部分が前記設置部から起立するように折り曲げられ、かつ、前記第２の部分が前記止水部から起立するように折り曲げられた状態で、前記挿通部を前記孔部に挿通することで、前記止水部が前記使用状態のまま保持されるものである。
【０００９】
請求項２においては、前記保持部は、前記一の素材から一体的に形成されているものである。
【００１１】
請求項３においては、当該止水装置は、幅方向一方側を他の止水装置の幅方向他方側と重ねた状態で前記他の止水装置と連結可能とされており、前記保持部は、当該止水装置と前記他の止水装置とを連結した際に当該止水装置と前記他の止水装置とが重なる領域に設けられているものである。
【００１２】
請求項４においては、当該止水装置の幅方向一方側に設けられた第１の連結部と、当該止水装置の幅方向他方側に設けられ、他の止水装置の前記第１の連結部と連結可能な第２の連結部と、を具備し、前記第１の連結部及び前記第２の連結部は、前記一の素材から一体的に形成されており、前記第１の連結部は、前記他の止水装置の前記第２の連結部が挿通可能とされた連結孔部を有し、前記連結孔部に前記他の止水装置の前記第２の連結部を挿通することで、他の止水装置と連結可能とするものである。
【００１３】
請求項５においては、前記設置部は、軟質樹脂で形成されているものである。
【発明の効果】
【００１４】
本発明の効果として、以下に示すような効果を奏する。
【００１５】
請求項１においては、非使用時に止水装置のコンパクト化を図ることができる。また、使用状態における止水部の保持を容易に行うことができる。
【００１６】
請求項２においては、使用状態において止水部が倒伏することの抑制を可能としながらも、止水装置を簡易な構成にすることができる。
【００１８】
請求項３においては、複数の止水装置を連結した状態で、使用状態における複数の止水部の保持を行うことができる。
【００１９】
請求項４においては、複数の止水装置を容易に連結可能としながらも、簡易な構成にすることができる。
【００２０】
請求項５においては、浸水をより抑制し易くすることができる。
【図面の簡単な説明】
【００２１】
【図１】本発明の一実施形態に係る止水装置を示した斜視図。
【図２】（ａ）使用状態の止水装置を示した側面図。（ｂ）非使用状態の止水装置を示した側面図。
【図３】止水装置を示した正面図。
【図４】展開した状態の止水装置を示した平面図。
【図５】（ａ）熱罫線加工において、パンチを素材に押圧する前の状態を模式的に示した側面図。（ｂ）熱罫線加工において、パンチを素材に押圧した状態を模式的に示した側面図。（ｃ）熱罫線加工後の素材を模式的に示した側面図。
【図６】（ａ）第１の部分に第２の部分を接続する前の状態を示した拡大斜視図。（ｂ）第１の部分に第２の部分を接続した状態を示した拡大斜視図。
【図７】複数の止水装置を連結した状態を示した斜視図。
【図８】連結した止水装置を設置した状態を示した正面図。
【発明を実施するための形態】
【００２２】
以下では、図中の矢印に基づいて、前後方向、左右方向及び上下方向を定義して説明を行う。
【００２３】
以下では、本発明の一実施形態に係る止水装置１について説明する。
【００２４】
図１から図８までに示す止水装置１は、地面（設置面）に設置された状態で、後方への水の移動を抑制可能なものである。止水装置１は、例えば、門扉や玄関等の敷地や建物の出入り口の前方（外側）に配置され、当該出入り口からの水の浸入を抑制する（図８参照）。
【００２５】
止水装置１は、図２に示すように、止水部２０を設置部１０から起立するように折り曲げた使用状態と、止水部２０が倒伏する非使用状態と、に変形可能とされている。なお、設置部１０及び止水部２０の詳細な説明は後述する。止水装置１は、図１及び図２（ａ）に示すように、使用状態において、側面視略Ｌ字形状とされる。
【００２６】
止水装置１は、設置部１０、止水部２０、折曲部３０、保持部４０、シール部５０及びクリップ６０を具備する。なお、以下では、主として使用状態における止水装置１を基準として、各部の形状や、前後、左右、上下位置を説明する。
【００２７】
図１から図４までに示す設置部１０は、地面等の設置面に設置されるものである。設置部１０は、板形状とされている。設置部１０は、厚さ方向に見て略矩形状とされる。設置部１０は、厚さ方向を上下方向に向けて配置される。本実施形態では、設置部１０の左右寸法（幅寸法）を７００ｍｍ程度としている。また、設置部１０の前後寸法を４００ｍｍ程度としている。また、設置部１０の厚さ寸法を３ｍｍ程度としている。なお、設置部１０の左右寸法、前後寸法及び厚さ寸法としては、上述した例に限られず、強度や止水性能等の観点から適宜設定可能である。設置部１０は、第１の係止孔部１１を具備する。
【００２８】
第１の係止孔部１１は、設置部１０を厚さ方向に貫通する孔である。第１の係止孔部１１は、左右に長尺な形状とされている。第１の係止孔部１１は、設置部１０の前部かつ右部に位置する角部に形成されている。
【００２９】
止水部２０は、後方への水の移動を抑制可能なものである。止水部２０は、板形状とされている。止水部２０は、厚さ方向に見て略矩形状とされる。止水部２０は、厚さ方向を前後方向に向けて配置される。本実施形態では、止水部２０の左右寸法（幅寸法）を７００ｍｍ程度としている。また、止水部２０の上下寸法を５００ｍｍ程度としている。また、止水部２０の厚さ寸法を３ｍｍ程度としている。なお、止水部２０の左右寸法、上下寸法及び厚さ寸法としては、上述した例に限られず、強度や止水性能等の観点から適宜設定可能である。
【００３０】
止水部２０は、設置部１０の後端部に設けられている。止水部２０は、厚さ方向が概ね前後方向を向くように、設置部１０から上方に起立する。止水部２０は、第２の係止孔部２１、取手部２２及び連結挿通部２３を具備する。
【００３１】
第２の係止孔部２１は、止水部２０を厚さ方向に貫通する孔である。第２の係止孔部２１は、左右に長尺な形状とされている。第２の係止孔部２１は、止水部２０の上部かつ右部に位置する角部に形成されている。第２の係止孔部２１は、第１の係止孔部１１と略同形状とされている。また、第２の係止孔部２１の左右方向位置は、第１の係止孔部１１の左右方向位置と概ね同様な位置とされている。
【００３２】
取手部２２は、手指を挿通可能な孔である。取手部２２は、止水部２０を厚さ方向に貫通する。取手部２２は、左右に長尺な形状とされている。取手部２２は、止水部２０の上部における左右方向中央部に形成されている。
【００３３】
連結挿通部２３は、止水装置１と、他の止水装置１とを連結するものである。なお、止水装置１の連結態様の詳細な説明は後述する。連結挿通部２３は、板形状とされている。連結挿通部２３は、厚さ方向に見て、左右方向に長尺な略矩形状とされている。連結挿通部２３は、止水部２０の左部における上下方向中途部に形成されている。連結挿通部２３は、止水部２０の左端部から左右方向中途部までのスリット（切り込み）を、上下方向に間隔を空けて二つ形成したことで、当該二つのスリットの間に形成される。また、連結挿通部２３は、先端部（左端部）が止水部２０の左端部よりも右方に位置するように（右方に凹むように）形成されている。
【００３４】
折曲部３０は、設置部１０及び止水部２０を折り曲げ可能に接続するものである。折曲部３０は、設置部１０と止水部２０との境界部分に設けられた折り目を構成する。折曲部３０は、図４に示す展開した状態の止水装置１の表面（設置部１０の上面及び止水部２０の前面を構成する面）において、上記境界部分の全体に亘って溝部を形成したことで、設置部１０及び止水部２０を折り曲げ可能としている。本実施形態では、上記溝部を略Ｖ字形状としている（図５（ｃ）参照）。
【００３５】
保持部４０は、止水部２０を使用状態のまま保持するものである。すなわち、保持部４０は、止水部２０の設置部１０から起立した姿勢を保持する。保持部４０は、使用状態において、設置部１０及び止水部２０を接続することで止水部２０の起立姿勢を保持する。保持部４０は、第１の部分４１、第１の保持部側折曲部４２、第２の部分４３及び第２の保持部側折曲部４４を具備する。
【００３６】
図１から図４まで及び図６に示す第１の部分４１は、保持部４０における設置部１０側の部分を構成するものである。第１の部分４１は、板形状とされている。第１の部分４１は、厚さ方向に見て略矩形状とされている。第１の部分４１は、厚さ方向を左右方向に向けて配置される。第１の部分４１は、設置部１０の右端部における前後方向中途部において、当該設置部１０と一体的に設けられている。第１の部分４１は、厚さ方向が概ね左右方向を向くように、設置部１０から上方に起立する。第１の部分４１は、孔部４１ａを具備する。
【００３７】
孔部４１ａは、第１の部分４１を厚さ方向に貫通する孔である。孔部４１ａは、前後に長尺な形状とされている。孔部４１ａは、第１の部分４１の下端部（第１の部分４１と設置部１０との境界部分の近傍）に形成されている。
【００３８】
第１の保持部側折曲部４２は、第１の部分４１及び設置部１０を折り曲げ可能に接続するものである。第１の保持部側折曲部４２は、第１の部分４１と設置部１０との境界部分に設けられた折り目を構成する。第１の保持部側折曲部４２は、図４に示す展開した状態の止水装置１の表面（第１の部分４１の左面及び設置部１０の上面を構成する面）において、上記境界部分の全体に亘って溝部を形成したことで、第１の部分４１及び設置部１０を折り曲げ可能としている。本実施形態では、上記溝部を、折曲部３０と同様な略Ｖ字形状としている。
【００３９】
第２の部分４３は、保持部４０における止水部２０側の部分を構成するものである。第２の部分４３は、板形状とされている。第２の部分４３は、厚さ方向を左右方向に向けて配置される。第２の部分４３は、止水部２０の右端部における上側部分において、当該止水部２０と一体的に設けられている。第２の部分４３は、厚さ方向が概ね左右方向を向くように、止水部２０から前方に起立する。第２の部分４３は、本体部４３ａ及び接続部４３ｃを具備する。
【００４０】
本体部４３ａは、第２の部分４３の大部分を構成するものである。本体部４３ａは、止水部２０の右端部における上側部分から斜め下方に延びる形状とされている。本体部４３ａは、連結孔部４３ｂを具備する。
【００４１】
連結孔部４３ｂは、本体部４３ａを厚さ方向に貫通する孔である。連結孔部４３ｂは、連結挿通部２３が挿通可能とされる。連結孔部４３ｂは、上下に長尺な形状とされている。連結孔部４３ｂは、本体部４３ａの後端部（本体部４３ａと止水部２０との境界部分の近傍）に形成されている。また、連結孔部４３ｂの高さ位置は、連結挿通部２３の高さ位置と概ね同様な位置とされている。
【００４２】
図４及び図６に示す接続部４３ｃは、第１の部分４１と接続されるものである。接続部４３ｃは、本体部４３ａの下端部から前方に突出する。接続部４３ｃは、側面視において略矩形状とされている。接続部４３ｃは、第１の部分４１の右方において、側面視において少なくとも一部が第１の部分４１と重複するように配置される。接続部４３ｃは、挿通部４３ｄ及び挿通部側折曲部４３ｅを具備する。
【００４３】
挿通部４３ｄは、孔部４１ａに挿通されるものである。挿通部４３ｄが孔部４１ａに挿通されることで、接続部４３ｃと第１の部分４１とが接続される。挿通部４３ｄは、接続部４３ｃの下端部から左方に突出するように設けられる。挿通部４３ｄは、平面視において略矩形状とされている。
【００４４】
挿通部側折曲部４３ｅは、接続部４３ｃ及び挿通部４３ｄを折り曲げ可能に接続するものである。挿通部側折曲部４３ｅは、接続部４３ｃ及び挿通部４３ｄとの境界部分に設けられた折り目を構成する。挿通部側折曲部４３ｅは、図４に示す展開した状態の止水装置１の表面（接続部４３ｃの左面及び挿通部４３ｄの上面を構成する面）において、上記境界部分の全体に亘って溝部を形成したことで、接続部４３ｃ及び挿通部４３ｄを折り曲げ可能としている。本実施形態では、上記溝部を、折曲部３０と同様な略Ｖ字形状としている。
【００４５】
図１及び図４に示す第２の保持部側折曲部４４は、止水部２０及び第２の部分４３（本体部４３ａ）を折り曲げ可能に接続するものである。第２の保持部側折曲部４４は、設置部１０と止水部２０との境界部分に設けられた折り目を構成する。第２の保持部側折曲部４４は、図４に示す展開した状態の止水装置１の表面（止水部２０の前面及び第２の部分４３の左面を構成する面）において、上記境界部分の全体に亘って溝部を形成したことで、止水部２０及び第２の部分４３を折り曲げ可能としている。本実施形態では、上記溝部を、折曲部３０と同様な略Ｖ字形状としている。
【００４６】
上述の如き保持部４０の第２の部分４３（本体部４３ａ）と、設置部１０と、止水部２０と、の間には、左右方向に貫通する側面視略三角形状の開口Ｘが形成される（図１及び図２（ａ）参照）。
【００４７】
図１から図３までに示すシール部５０は、複数の止水装置１を連結した場合に、連結された止水装置１同士の隙間からの浸水を抑制するものである。シール部５０は、外力に応じて変形可能とされる。シール部５０は、例えばゴム系材料によって形成される。
【００４８】
シール部５０は、止水装置１の裏面（設置部１０の下面及び止水部２０の後面）の右端側部分において、設置部１０の前部から止水部２０の上部に亘って設けられる。より詳細には、シール部５０は、設置部１０の下面における第１の係止孔部１１の近傍の部分から、止水部２０の後面における第２の係止孔部２１の近傍の部分までに亘って設けられている。
【００４９】
図１から図４まで及び図６（ｂ）に示すクリップ６０は、第１の部分４１と、第２の部分４３の接続部４３ｃと、の接続を保持するものである。クリップ６０は、図３に示すように、第１の部分４１及び接続部４３ｃを重ねた状態で、当該第１の部分４１及び接続部４３ｃを挟持することで接続を保持する。クリップ６０は、第１の片部６１、第２の片部６２及び接続片部６３を具備する。
【００５０】
第１の片部６１は、第１の部分４１及び接続部４３ｃのうち一方（図例では接続部４３ｃ）と接する部分である。第１の片部６１は、厚さ方向を左右方向に向けた板形状とされる。
【００５１】
第２の片部６２は、第１の部分４１及び接続部４３ｃのうち他方（図例では第１の部分４１）と接する部分である。第２の片部６２は、厚さ方向を概ね左右方向に向けた板形状とされる。第２の片部６２は、係止部６２ａを具備する。
【００５２】
係止部６２ａは、第２の片部６２において第１の片部６１側に近接する部分である。図例では、第２の片部６２の上下方向中途部が第１の片部６１側に近接するように、第２の片部６２を屈曲させたことで係止部６２ａを形成している。
【００５３】
接続片部６３は、第１の片部６１の上端部と、第２の片部６２の上端部と、を接続する部分である。接続片部６３は、厚さ方向を上下方向に向けた板形状とされる。
【００５４】
上述の如き止水装置１の設置部１０、止水部２０、折曲部３０及び保持部４０は、図４に示すように、一枚の板形状の素材Ａから一体的に形成される。素材Ａは、防水性を有する中実な樹脂材料から形成されている。本実施形態では、素材Ａを、弾性変形が可能な軟質樹脂から形成している。軟質樹脂としては、例えばオレフィン系の軟質樹脂を採用可能である。また、素材Ａとしては、再生樹脂から形成されたものを採用可能である。
【００５５】
また、本実施形態では、素材Ａの厚さを３ｍｍ程度としている。すなわち、保持部４０の厚さは、上述した設置部１０及び止水部２０の厚さと同様３ｍｍ程度である。なお、素材Ａの厚さとしては、上述した例に限られず、強度や止水性能等の観点から適宜設定可能である。
【００５６】
止水装置１の設置部１０、止水部２０、折曲部３０及び保持部４０は、例えば打ち抜き加工又は切り抜き加工により、素材Ａから、図４に示す形状の部材を得ることで形成される。
【００５７】
また、止水装置１の折曲可能に形成された部分（折曲部３０、第１の保持部側折曲部４２、挿通部側折曲部４３ｅ及び第２の保持部側折曲部４４）は、素材Ａに熱罫線加工を施すことで形成される。より詳細には、図５（ａ）及び（ｂ）に示すように、素材Ａにヒーターにより加熱可能な側面視略Ｖ字状（くさび形状）のパンチＰを押圧する加工を施す。上記加工により、図５（ｃ）に示すように、折り曲げに適したＶ字状の溝が素材Ａに形成される。これにより、素材Ａに上記折曲可能に形成された部分が形成される。熱罫線加工としては、例えば、１６０℃程度に加熱したパンチＰを用いて、１ｔ（９８００Ｎ）程度の圧力で１分程度、素材Ａを押圧する加工を採用可能である。熱罫線加工の結果、素材Ａにはある程度の曲げ癖が付く。
【００５８】
また、止水装置１は、図４に示す展開した状態から、各部を折り曲げることで使用状態に変形可能とされている。以下では、止水装置１を、展開した状態から使用状態に変形する手順について説明する。
【００５９】
まず、折曲部３０を介して、止水部２０が設置部１０から起立するように折り曲げる。次に、第１の保持部側折曲部４２を介して、第１の部分４１が設置部１０から起立するように折り曲げると共に、第２の保持部側折曲部４４を介して、第２の部分４３が止水部２０から起立するように折り曲げる。
【００６０】
次に、図６に示すように、挿通部側折曲部４３ｅを介して、挿通部４３ｄが接続部４３ｃから起立するように折り曲げると共に、挿通部４３ｄを、第１の部分４１の孔部４１ａに挿通する。これにより、保持部４０を介して設置部１０及び止水部２０が接続される。この状態では、第１の部分４１の右面と、接続部４３ｃの左面と、が当接するように重なる。
【００６１】
次に、図６（ｂ）に示すように、第１の部分４１及び接続部４３ｃを重ねた状態で、当該第１の部分４１及び接続部４３ｃの上部をクリップ６０により挟持する。これにより、止水装置１を、図１、図２（ａ）及び図３に示す使用状態とすることができる。
【００６２】
上記使用状態においては、起立した止水部２０により、後方への水の移動を抑制することができる。使用状態においては、止水部２０は設置部１０に対して略垂直（略９０度）に起立する。また、止水装置１は、保持部４０を介して設置部１０及び止水部２０を接続することで、止水部２０の起立姿勢を保持することができる。
【００６３】
また、以下では、止水装置１を、使用状態から非使用状態に変形する手順について説明する。
【００６４】
まず、上述の図６において説明した手順とは逆に、クリップ６０を第１の部分４１及び接続部４３ｃから外す。次に、挿通部４３ｄを孔部４１ａから抜くと共に、挿通部側折曲部４３ｅを介して、挿通部４３ｄを接続部４３ｃに対して展開する。
【００６５】
次に、第１の保持部側折曲部４２を介して、第１の部分４１を設置部１０に対して展開すると共に、第２の保持部側折曲部４４を介して、第２の部分４３を止水部２０に対して展開する。次に、図２（ｂ）に示すように、止水部２０及び設置部１０が重なる（平面視において重複する）ように、折曲部３０を介して、止水部２０を倒伏するように折り曲げる。これにより、止水装置１を非使用状態とすることができる。この際に、止水部２０及び設置部１０を重ねた状態で、クリップ６０により当該止水部２０及び設置部１０を挟持して折曲部３０を介した展開を抑制するようにしてもよい。
【００６６】
上記非使用状態においては、止水装置１の薄型化、コンパクト化を図ることができる。これにより、止水装置１を収納し易くすることができる。また、止水装置１を、持ち運び易い形状とすることができる。
【００６７】
また、止水装置１を、非使用状態から使用状態に変形する際には、上述した使用状態から非使用状態に変形する手順とは逆の手順を踏めばよい。このように、止水装置１は、止水部２０を起立又は倒伏させるように折り曲げることで、使用状態と非使用状態との変形を容易に行うことができる。
【００６８】
また、上述の如き止水装置１は、図７及び図８に示すように、使用状態において、複数の止水装置１を幅方向に連結可能とされている。複数の止水装置１を連結した状態では、一方の止水装置１（左側の止水装置１）の連結孔部４３ｂに、他方の止水装置１（右側の止水装置１）の連結挿通部２３が挿通される。
【００６９】
また、複数の止水装置１を連結した状態では、左側の止水装置１の右部と、右側の止水装置１の左部と、が重複するように配置される。なお、この際、左側の止水装置１が、右側の止水装置１の上（表面側）に位置する。この状態では、左側の止水装置１の裏面に設けられたシール部５０が、右側の止水装置１の表面に当接すると共に、当該右側の止水装置１の表面の形状に追従して変形する。これにより、シール部５０を介して連結された止水装置１同士の隙間を塞ぐことができ、当該隙間からの浸水を抑制することができる。
【００７０】
以下では、複数の止水装置１を連結する手順について説明する。
【００７１】
まず、右側の止水装置１の左部と、左側の止水装置１の右部と、が重複するように、右側の止水装置１の上（表面側）に左側の止水装置１を重ねるように配置する。より詳細には、各止水装置１の設置部１０同士と、止水部２０同士と、がそれぞれ重なるように配置する。
【００７２】
次に、右側の止水装置１の連結挿通部２３を、左側の止水装置１の連結孔部４３ｂに挿通する。この際に、連結挿通部２３の根元部分（右端部）まで連結孔部４３ｂに挿通するように、一方の止水装置１の止水装置１を他方の止水装置１に対して左右方向にスライドする。
【００７３】
本実施形態では、連結挿通部２３の先端部（左端部）を、止水部２０の左端部よりも右方に位置するように（凹むように）形成している。上記構成としたことで、まず上記連結挿通部２３が凹んだ寸法分だけ各止水装置１を重ねて、この状態で、一方の止水装置１をスライドさせて連結挿通部２３を連結孔部４３ｂに挿通することができる。このように、止水装置１同士を重ねて互いに位置決めした状態で、一方の止水装置１をスライドさせることで、連結挿通部２３を連結孔部４３ｂに容易に挿通することができる。
【００７４】
次に、右側の止水装置１の設置部１０と、左側の止水装置１の設置部１０と、が重なった部分をクリップ６０により挟持する。この際、左側の止水装置１の設置部１０の第１の係止孔部１１に、クリップ６０の係止部６２ａを係止させる。これにより、クリップ６０の脱落を抑制することができる。
【００７５】
次に、右側の止水装置１の止水部２０と、左側の止水装置１の止水部２０と、が重なった部分を、クリップ６０により挟持する。この際、左側の止水装置１の止水部２０の第２の係止孔部２１に、クリップ６０の係止部６２ａを係止させる。これにより、クリップ６０の脱落を抑制することができる。
【００７６】
なお、上述した例では、設置部１０同士及び止水部２０同士を、第１の部分４１及び接続部４３ｃを挟持するものと同様のクリップ６０により挟持した例を示したが、このような態様に限られず、クリップ６０とは異なる部材により設置部１０同士及び止水部２０同士を挟持するようにしてもよい。
【００７７】
上記手順により２つの止水装置１が連結される。図７及び図８に示すように、止水装置１を３つ連結する際には、上述した説明と同様の手順で、更に他の止水装置１を連結する。
【００７８】
また、以下では、使用状態における止水装置１の使用態様について説明する。なお、以下では、３つの止水装置１を連結して使用するものとする。
【００７９】
図８は、止水装置１を、出入り口としての門扉の前方に設置した例を示している。この状態では、止水装置１の止水部２０の後面は、門扉や門扉が設けられた塀（壁）の前面と当接又は近接する。なお、図例では、３つの止水装置１を連結した例を示したが、連結される止水装置１の数は、出入口の間口寸法に応じて適宜設定可能である。
【００８０】
上述のように設置した止水装置１によれば、洪水時において、出入り口側への水の移動を抑制することができる。すなわち、側面視において略Ｌ字形状とされた設置部１０及び止水部２０により、洪水時において出入り口側（後方側）へ向かう水の流れを、例えば図８の矢印で示すように、出入り口を避けるように変えることができる。これにより、出入り口側（後方側）への浸水を抑制することができる。
【００８１】
この際、設置部１０は、上方に位置する水の水圧により下方側に押し付けられることで、設置面に対する移動が抑制される。また、本実施形態では、設置部１０を軟質樹脂により形成しているので、水圧を受けた設置部１０を、設置面の形状に追従して変形させることができる。これにより、設置面に凹凸がある場合でも、当該凹凸に設置部１０を追従させ、設置部１０と設置面との間の隙間からの浸水を抑制し易くすることができる。
【００８２】
また、設置部１０及び止水部２０は、１枚の板形状の素材Ａから一体的に形成されているので、使用状態と非使用状態に変形可能な止水装置１を簡易な構成にすることができる。すなわち、上記構成とされた止水装置１によれば、例えば、ヒンジ等の回動部を介して使用状態と非使用状態に変形可能としたものとは異なり、構成が複雑となることを抑制することができる。
【００８３】
また、設置部１０及び止水部２０を１枚の板形状の素材Ａから一体的に形成したことで、例えば、ヒンジ等の回動部を介して使用状態と非使用状態に変形可能としたものとは異なり、上記回動部により形成される隙間から浸水することを抑制することができる。これにより、効果的な止水が可能となる。
【００８４】
また、止水部２０を使用状態のまま保持する保持部４０を設けたことで、使用状態における止水部２０が倒伏することを抑制することができる。また、保持部４０を、設置部１０及び止水部２０と一体的に形成しているので、止水装置１を簡易な構成にすることができる。
【００８５】
また、図７に示すように、保持部４０と、設置部１０と、止水部２０と、の間には、左右方向に貫通する開口Ｘが形成されている。これにより、止水部２０により流れを変えた水を、開口Ｘを介して左右に流れ易くすることができる。また、これにより、保持部４０が左右に流れる水から受ける負荷を減らすことができ、止水装置１が上記負荷により左右に移動することを抑制することができる。
【００８６】
また、本実施形態では、保持部４０を、複数の止水装置１を連結した状態で、一方の（左側の）止水装置１と他方の（右側の）止水装置１とが重なる領域（図例では止水装置１の右端側）に設けている。これにより、一方の止水装置１に設けられた保持部４０によって、当該止水装置１（止水部２０）の保持だけでなく、連結された他方の止水装置１（止水部２０）の保持まで行うことができる。
【００８７】
また、本実施形態では、連結挿通部２３及び連結孔部４３ｂ（本体部４３ａ）を、１枚の板形状の素材Ａから、設置部１０及び止水部２０と一体的に形成しているので、複数の止水装置１を容易に連結可能としながらも、止水装置１を簡易な構成にすることができる。
【００８８】
以上の如く、本実施形態に係る止水装置１は、
設置面に設置される設置部１０と、
所定の方向への水の移動を抑制可能な止水部２０と、
前記設置部１０及び前記止水部２０を折り曲げ可能に接続する折曲部３０と、
を具備し、
前記設置部１０、前記止水部２０及び前記折曲部３０は、一の素材Ａから一体的に形成されており、
前記折曲部３０を介して、前記止水部２０が前記設置部１０から起立するように折り曲げた使用状態と、前記止水部２０が倒伏する非使用状態と、に変形可能であるものである。
【００８９】
このように構成することにより、非使用時に止水装置１のコンパクト化を図ることができる。すなわち、折曲部３０を介して止水部２０を倒伏させることで、非使用時に止水装置１のコンパクト化を図ることができる。また、使用状態と非使用状態に変形可能な止水装置１を簡易な構成にすることができる。すなわち、設置部１０、止水部２０及び折曲部３０を一の素材Ａから一体的に形成しているので、折曲部３０を介して折り曲げることで使用状態と非使用状態に変形可能な止水装置１を簡易な構成にすることができる。
【００９０】
また、止水装置１は、
前記止水部２０を使用状態のまま保持する保持部４０を更に具備し、
前記保持部４０は、前記一の素材Ａから一体的に形成されているものである。
【００９１】
このように構成することにより、使用状態において止水部２０が倒伏することの抑制を可能としながらも、止水装置１を簡易な構成にすることができる。すなわち、保持部４０を設けたことで、使用状態において止水部２０が倒伏することを抑制することができる。また、保持部４０、設置部１０、止水部２０及び折曲部３０を一の素材Ａから一体的に形成しているので、止水装置１を簡易な構成にすることができる。
【００９２】
また、止水装置１は、
前記止水部２０を使用状態のまま保持する保持部４０を更に具備し、
前記保持部４０は、
前記設置部１０に設けられた第１の部分４１と、
前記止水部２０に設けられた第２の部分４３と、
を具備し、
前記第１の部分４１及び前記第２の部分４３のうち一方は、孔部４１ａを有し、
前記第１の部分４１及び前記第２の部分４３のうち他方は、前記孔部４１ａに挿通可能な挿通部４３ｄを有し、
前記使用状態において、前記第１の部分４１が前記設置部１０から起立するように折り曲げられ、かつ、前記第２の部分４３が前記止水部２０から起立するように折り曲げられた状態で、前記挿通部４３ｄを前記孔部４１ａに挿通することで、前記止水部２０が前記使用状態のまま保持されるものである。
【００９３】
このように構成することにより、使用状態における止水部２０の保持を容易に行うことができる。すなわち、第１の部分４１及び第２の部分４３を折り曲げて起立させると共に、挿通部４３ｄを孔部４１ａに挿通することで、保持部４０を介した使用状態における止水部２０の保持を容易に行うことができる。
【００９４】
また、当該止水装置１は、幅方向一方側を他の止水装置１の幅方向他方側と重ねた状態で前記他の止水装置１と連結可能とされており、
前記止水部２０を使用状態のまま保持する保持部４０を更に具備し、
前記保持部４０は、当該止水装置１と前記他の止水装置１とを連結した際に当該止水装置１と前記他の止水装置１とが重なる領域に設けられているものである。
【００９５】
このように構成することにより、複数の止水装置１を連結した状態で、使用状態における複数の止水部２０の保持を行うことができる。すなわち、保持部４０を、連結された複数の止水装置１が重なる領域に設けたことで、一方の止水装置１に設けられた保持部４０によって、当該止水装置１（止水部２０）の保持だけでなく、連結されたもう一方の止水装置１（止水部２０）の保持まで行うことができる。
【００９６】
また、止水装置１は、
当該止水装置１の幅方向一方側に設けられた本体部４２ａ（第１の連結部）と、
当該止水装置１の幅方向他方側に設けられ、他の止水装置１の前記本体部４２ａ（第１の連結部）と連結可能な連結挿通部２３（第２の連結部）と、
を具備し、
前記本体部４２ａ（第１の連結部）及び前記連結挿通部２３（第２の連結部）は、前記一の素材Ａから一体的に形成されており、
前記本体部４２ａ（第１の連結部）は、前記他の止水装置１の前記連結挿通部２３（第２の連結部）が挿通可能とされた連結孔部４３ｂを有し、
前記連結孔部４３ｂに前記他の止水装置１の前記連結挿通部２３（第２の連結部）を挿通することで、他の止水装置１と連結可能とするものである。
【００９７】
このように構成することにより、複数の止水装置１を容易に連結可能としながらも、簡易な構成にすることができる。すなわち、本体部４２ａ（第１の連結部）の連結孔部４３ｂに、他の止水装置１の連結挿通部２３（第２の連結部）を挿通することで、複数の止水装置１を容易に連結することができる。また、本体部４２ａ（第１の連結部）、連結挿通部２３（第２の連結部）、設置部１０、止水部２０及び折曲部３０を一の素材Ａから一体的に形成しているので、止水装置１を簡易な構成にすることができる。
【００９８】
また、前記設置部１０は、軟質樹脂で形成されているものである。
【００９９】
このように構成することにより、浸水をより抑制し易くすることができる。すなわち、設置部１０を軟質樹脂で形成したことで、設置面に凹凸がある場合でも、当該凹凸に設置部１０を追従させることができる。これにより、浸水をより抑制し易くすることができる。
【０１００】
なお、本実施形態に係る本体部４３ａは、本発明に係る第１の連結部の実施の一形態である。
また、本実施形態に係る連結挿通部２３は、本発明に係る第２の連結部の実施の一形態である。
【０１０１】
以上、本発明の一実施形態を説明したが、本発明は上記構成に限定されるものではなく、特許請求の範囲に記載された発明の範囲内で種々の変更が可能である。
【０１０２】
例えば、本実施形態では、止水装置１の設置部１０、止水部２０、折曲部３０及び保持部４０を、一枚の板形状の素材Ａから一体的に形成した例を示したが、このような態様に限られない。例えば、保持部４０を、設置部１０、止水部２０及び折曲部３０とは別体的に形成してもよい。この場合は、保持部４０の第１の部分４１及び第２の部分４３を、ヒンジ等の回動部を介して、設置部１０及び止水部２０と連結してもよい。
【０１０３】
また、本実施形態では、保持部４０を止水装置１の右端側に設けた例を示したが、このような態様に限られない。保持部４０を設ける位置としては、例えば、連結した複数の止水装置１同士が重なる領域内の適宜の位置を採用可能である。また、保持部４０を設ける位置を、上記領域外としてもよい。
【０１０４】
また、本実施形態では、止水装置１の裏面（設置部１０の下面及び止水部２０の後面）にシール部５０を設けた例を示したが、このようなシール部５０を設けない構成としてもよい。
【０１０５】
また、本実施形態では、第１の部分４１と第２の部分４３を接続した状態で、第１の部分４１及び接続部４３ｃの上部をクリップ６０により挟持する例を示したが、このようなクリップ６０を設けない構成としてもよい。
【０１０６】
また、本実施形態では、複数の止水装置１を連結した状態で、設置部１０同士及び止水部２０同士をクリップ６０により挟持（連結）する例を示したが、このような態様に限られない。例えば、設置部１０同士だけ、又は止水部２０同士だけをクリップ６０で挟持（連結）してもよく、また、異なる部位同士をクリップ６０で挟持（連結）してもよい。また、更には、このようなクリップ６０を設けない構成としてもよい。
【０１０７】
また、本実施形態では、使用状態において、止水部２０を設置部１０に対して略垂直（略９０度）に起立させる例を示したが、このような態様に限られない。使用状態における設置部１０に対する止水部２０の角度は、効果的な止水の観点等から適宜設定可能である。
【０１０８】
また、本実施形態では、止水装置１の非使用状態を、止水部２０及び設置部１０が重なるように止水部２０を倒伏した状態として説明したが、このような態様に限られない。例えば、図４に示す展開した状態を非使用状態として、この状態で収納等することも可能である。
【０１０９】
本実施形態では、止水装置１を、敷地や建物の出入口の前方に設置する例を示したが、このような態様に限られない。止水装置１は、道路や川等の種々の場所に設置可能である。
【符号の説明】
【０１１０】
１        止水装置
１０      設置部
２０      止水部
２３      連結挿通部（第２の連結部）
３０      折曲部
４０      保持部
４１      第１の部分
４１ａ    孔部
４３      第２の部分
４３ａ    本体部（第１の連結部）
４３ｂ    連結孔部
４３ｄ    挿通部
Ａ        素材
【要約】
【課題】非使用時にコンパクト化を図ることができる止水装置を提供する。
【解決手段】設置面に設置される設置部１０と、所定の方向への水の移動を抑制可能な止水部２０と、前記設置部１０及び前記止水部２０を折り曲げ可能に接続する折曲部３０と、を具備し、前記設置部１０、前記止水部２０及び前記折曲部３０は、一の素材Ａから一体的に形成されており、前記折曲部３０を介して、前記止水部２０が前記設置部１０から起立するように折り曲げた使用状態と、前記止水部２０が倒伏する非使用状態と、に変形可能である。
【選択図】図１【図１】
0006748317.tif 000002
【図２】
0006748317.tif 000003
【図３】
0006748317.tif 000004
【図４】
0006748317.tif 000005
【図５】
0006748317.tif 000006
【図６】
0006748317.tif 000007
【図７】
0006748317.tif 000008
【図８】
0006748317.tif 000009